(57)【要約】【課題】リモコンの電池を利用して主電源からの電力供給が断になったときにもリモコンのスイッチ操作により便器洗浄水を流すことができる洗浄給水装置を提供する。【解決手段】主電源からの電力供給が断になったときに電力を供給するバックアップ用電源として、リモコンの電池を利用する。商用電源に停電が生じた場合、変圧・整流回路８０からの給電は停止し、このままではリモコン３０のスイッチを操作しても各機器は動作しない。この場合、リモコン３０を壁から取り外し、接続端子３４を突出させてこれを便座ボックス１２の左側面の接続端子３６に差し込む。これにより、リモコン３０の乾電池から制御回路５４に給電される。制御回路５４は、フラッシュスイッチ３０ｅ又は３０ｆが押されたときにのみ弁７４，７６の開弁動作を行う。【選択図】　図４
2004052456.tif 000002
【特許請求の範囲】
【請求項１】
主電源からの電力供給が断になったときに電力を供給するバックアップ用電源を備えたトイレ用洗浄給水装置において、
該バックアップ用電源は、リモコンの電池であることを特徴とする洗浄給水装置。
【請求項２】
請求項１において、便器に設置される本体部と前記リモコンとにそれぞれ通電用の接続端子が設けられており、該接続端子を介してリモコンから該本体部に電力供給されることを特徴とする洗浄給水装置。
【請求項３】
請求項１又は２において、温水洗浄装置及び該洗浄給水装置の制御を行なう制御回路が設けられており、
該制御回路は、主電源からの電力供給が断のときには前記電池からの電力により便器への洗浄給水動作のみを実行させることを特徴とする洗浄給水装置。
【発明の詳細な説明】
【０００１】
【発明の属する技術分野】
本発明は、便器への洗浄水の供給を制御するトイレ用の洗浄給水装置に係り、特に通常時には商用電源などの主電源によって給水動作を行わせ、停電時など主電源からの電力供給が断になったときにはバックアップ用電源によって給水動作を行わせるようにした洗浄給水装置に関する。
【０００２】
【従来の技術】
便器に洗浄水を流して便鉢内の汚物を排水管へ流出させるフラッシュ動作を行うためのフラッシュ弁は、長い間、手動式のものが用いられてきたが、近年、温水洗浄装置（人体臀部を温水で洗浄する装置）の普及に伴って、リモコン操作可能な電動式フラッシュ弁機構も多く採用されるようになってきている。
【０００３】
この電動式フラッシュ弁機構は、商用電源を主電源としているため、停電時には作動しない。そこで、手動でも開弁操作できるよう弁装置を構成することが多いが、専らリモコンのスイッチ操作によるフラッシュに慣れ親しんだ使用者には、使用法が俄には分からないことがある。
【０００４】
停電時でも電動式フラッシュ弁機構を動作させ得るようにバックアップ用電源を設けることが特開平３−２２４９１９号に記載されている。
【０００５】
【発明が解決しようとする課題】
近年、電力事情は著しく改善され、余程の突発的事故でも生じない限り、停電は発生しない。このようなレアケースのためにバックアップ用電源を搭載することは、便器設備の原価を徒に高めるだけである。また、便器後部の便座ボックス等のケーシング内に、殆ど使用されないバックアップ用電源を配置することは、便座ボックスの小型化の障害ともなる。
【０００６】
本発明は、かかる問題点を解消し、リモコンの電池を利用して、主電源からの電力供給が断になったときにもリモコンのスイッチ操作により便器洗浄水を流すことができる洗浄給水装置を提供することを目的とするものである。
【０００７】
【課題を解決するための手段】
本発明の洗浄給水装置は、主電源からの電力供給が断になったときに電力を供給するバックアップ用電源を備えたトイレ用洗浄給水装置において、該バックアップ用電源は、リモコンの電池であることを特徴とするものである。
【０００８】
かかる本発明の洗浄給水装置によると、停電時にあっても、リモコンの電池を利用してリモコンのスイッチ操作により便器洗浄を行うことができる。
【０００９】
本発明にあっては、便座ボックス等に、停電時に備えた専用のバックアップ用電源を設けることが不要であり、洗浄給水装置の原価を低減でき、また、便座ボックス等のケーシングの小型化を図ることも可能である。
【００１０】
本発明では、便器に設置される本体部と前記リモコンとにそれぞれ通電用の接続端子が設けられており、該接続端子を介してリモコンから該本体部に電力供給されることが好ましい。このように構成した場合には、例えばリモコンを壁面から取り外し、リモコンの接続端子を本体部の接続端子に結合することにより、洗浄給水装置が停電時でも動作可能である。
【００１１】
なお、リモコンの電池としては単３程度の小容量の乾電池が用いられることが多い。そのため、温水洗浄装置及び該洗浄給水装置の制御を行なう制御回路が設けられている場合、主電源からの電力供給が断のときには前記電池からの電力により便器への洗浄給水動作のみを実行させることが好ましい。
【００１２】
【発明の実施の形態】
以下、図面を参照して実施の形態について説明する。図１は実施の形態に係る洗浄給水装置を有する洋風便器が設置されたトイレルーム内の斜視図、図２はこの洋風便器を反対側から見た斜視図、図３（ａ）、（ｂ）はリモコン端部の斜視図、図４はこの洗浄給水装置のブロック図である。
【００１３】
図１の通り、洋風便器１０の後部上面に本体部としての便座ボックス１２が設置され、この便座ボックス１２に便座１４及び便蓋１６が起倒自在に枢支されている。この便座ボックス１２の右側面（便器着座者にとっての右側面。以下、同様。）には手動式フラッシュハンドル１８が設けられている。また、この便座ボックス１２の右側の上角縁には赤外線透過材料よりなるセンサ配置部１２ａが設けられている。
【００１４】
便座ボックス１２内の電気回路はコード２２、プラグ２４を介して商用電源（ＡＣ１００Ｖ）から給電される。
【００１５】
この洋風便器１０はホース２６及び止水栓２８を介して水道水が供給可能とされている。
【００１６】
トイレルームの左側の壁面にはリモコン取付ブラケット（図示略）が取り付けられ、このリモコン取付ブラケットに対しリモコン３０が着脱自在に掛止されている。
【００１７】
この実施の形態では、リモコン３０は方形の薄箱形状のものであり、その内部には電源として乾電池が複数本収容されている。リモコン３０の前面には臀部を洗浄するためのシャワースイッチ３０ａ及びビデスイッチ３０ｂ、温風を吹き出すための乾燥スイッチ３０ｃ、洗浄強さを調節する洗浄強さ調節ダイヤル３０ｄ、洗浄及び乾燥を停止させるストップスイッチ３０ｓ、及び液晶等よりなる表示画面３０ｇが設けられている。リモコン３０の上面には、洋風便器１０に大量（例えば約８Ｌ）の洗浄水を供給する大用フラッシュスイッチ３０ｅ、同じく少量（例えば２Ｌ）の洗浄水を供給する男子小用フラッシュスイッチ３０ｆが設けられている。
【００１８】
さらに、図３の通り、このリモコン３０の左側面と底面との角縁には、小円柱状の回転体３２の外周縁が臨んでいる。該回転体３２の外周面は凹凸面となっており、指先で触れて該回転体３２を回転させることが可能となっている。この回転体３２は、回転軸心をリモコン３０の表裏方向としている。
【００１９】
回転体３２からは２本のプラグ状の接続端子３４，３４が放射方向に平行に突設されている。この接続端子３４，３４はリモコン３０内の電池端子（図示略）に接続されている。
【００２０】
リモコン３０の底面には２条の溝３４ａ，３４ａが回転体３２から離反する方向に延設されている。図３（ａ）の状態では接続端子３４，３４は該溝３４ａ，３４ａ内に収容された状態となっている。図３（ｂ）は、図３（ａ）の状態から矢印θ方向に回転体３２を１８０°回転させた状態となっており、接続端子３４，３４はリモコン３０の左側面から左側方へ突出している。
【００２１】
なお、回転体３２の軸部とリモコン３０の軸支部とには、回転体３２が図３（ａ），（ｂ）に示す範囲内でのみ回動するように、回動範囲を上記１８０°に限定するためのストッパ部（図示略）が設けられている。
【００２２】
便座ボックス１２の左側面には、このプラグ状の接続端子３４が差し込まれるコンセント状の接続端子３６が設けられている。
【００２３】
便座ボックス１２の前記センサ配置部１２ａの内部には、このリモコン３０からの赤外線信号光を受光する受光素子６０（図４）が設けられ、この受光素子６０から得られる受信信号が制御回路５４（図４）に入力される。
【００２４】
図４の通り、便座ボックス１２内には、この制御回路５４によって動作が制御される各機器が設置されており、それぞれリモコン３０の各スイッチによって次のように作動する。
【００２５】
シャワースイッチ３０ａを押すと、弁５０が開弁し、便座ボックス１２に設けられたシャワーノズル３８Ａが前進し、その先端から温水が噴出され、使用者臀部のシャワー洗浄（肛門洗浄）が行われる。ビデスイッチ３０ｂを押すと、弁５２が開弁し、同様に便座ボックス１２の本体部に設けらているビデノズル３８Ｂが作動され、その先端から温水が噴出されて人体臀部の温水洗浄（ビデ洗浄）が行われる。この洗浄に際しては、前記ホース２６に連なる便座ボックス内の配管４０からの水が、温水タンク４２内においてヒータ４４により加熱された後、配管４６又は４８を介してシャワーノズル３８Ａ又はビデノズル３８Ｂへ送られる。なお、洗浄強さ調節ダイヤル３０ｄを回すことにより、弁５０，５２の開度が制御され、洗浄強さ（温水噴出量）が調節される。
【００２６】
乾燥スイッチ３０ｃを押すと、便座ボックス１２内のブロワ５６及びエアヒータ５８よりなる温風ファンが作動され、人体臀部に温風が吹き付けられて乾燥が行われる。
【００２７】
ストップスイッチ３０ｓを押すと、これらシャワーノズル、ビデノズルまたは温風ファンの作動が停止される。フラッシュスイッチ３０ｅ（大用）又は３０ｆ（小用）を操作することにより、弁７４又は弁７４，７６が開弁し、洋風便器１０の便鉢内に水が供給され、汚物が排出される。これらの弁７４，７６は、前記ホース２６から水の供給を受ける配管７０，７２に設けられている。配管７０は便器のリムに給水し、配管７２は便器のトラップ部（ゼット孔部）に給水する。
【００２８】
大用のフラッシュスイッチ３０ｅを押したときには、まず弁７４が所定時間開弁し、リム給水により鉢面が洗浄され、次いで弁７６が所定時間開弁し、トラップ部にサイホンを発生させて汚物を排出する。この場合、合計で８Ｌ程度の水が供給される。
【００２９】
小用のフラッシュスイッチ３０ｆを押したときには、弁７４のみが所要時間開弁し、２Ｌ程度の水で鉢面を洗浄すると共に、トラップ水を置換する。
【００３０】
この実施の形態では、商用電源（ＡＣ１００Ｖ）を変圧・整流回路８０にて低電圧の直流（例えばＤＣ２４Ｖ）に降圧及び整流し、リレー４４Ｒ，５０Ｒ，５２Ｒ，５８Ｒを介してヒータ４４、弁５０，５２、エアヒータ５８に給電している。前記制御回路５４からの制御信号はこれらのリレー４４Ｒ，５０Ｒ，５２Ｒ，５８Ｒに入力されている。この変圧・整流回路８０からは制御回路５４に直流電力が給電されている。
【００３１】
商用電源に停電が生じた場合、変圧・整流回路８０への給電は停止し、このままではリモコン３０のスイッチを操作しても図４の各機器は動作しない。この場合、リモコン３０を壁から取り外し、図３（ｂ）のように接続端子３４を突出させてこれを図２の矢印の如く接続端子３６に差し込む。これにより、リモコン３０の乾電池から制御回路５４に給電される。ただし、この電流は少ないので、制御回路５４はフラッシュスイッチ３０ｅ又は３０ｆが押されたときにのみ弁７４，７６の開弁動作を行うものであり、他の温水洗浄機構や臀部乾燥機構は動作させない。
【００３２】
このように、停電時にも、リモコン３０のフラッシュスイッチ３０ｅ，３０ｆを利用して便器に洗浄水を流すことができ、便鉢内に汚物が溜り放しになるという事態が回避される。
【００３３】
上記実施の形態は本発明の一例であり、本発明は図示以外の形態をもとりうる。たとえば、上記実施の形態では温水タンク４２が用いられているが、給湯設備がある場合には温水タンクを省略し、給湯設備からの湯を湯水混合弁を介して水と混合して適温とし、洗浄ノズル（シャワーノズル３８Ａ，ビデノズル３８Ｂ）に供給しても良い。
【００３４】
【発明の効果】
以上の通り、本発明によると、リモコンの電池を利用して主電源からの電力供給が断になったときにもリモコンのスイッチ操作により便器洗浄水を流すことができる。
【図面の簡単な説明】
【図１】実施の形態に係る洗浄給水装置を有する洋風便器が設置されたトイレルーム内の斜視図である。
【図２】図１の洋風便器を反対側から見た斜視図である。
【図３】リモコン端部の斜視図である。
【図４】図１の洗浄給水装置のブロック図である。
【符号の説明】
１０　洋風便器
１２　便座ボックス
３０　リモコン
３０ｅ，３０ｆ　フラッシュスイッチ
３２　回転体
３４，３６　接続端子
４２　温水タンク
５４　制御回路
６０　受光素子
８０　変圧・整流回路
【図１】
2004052456.tif 000003
【図２】
2004052456.tif 000004
【図３】
2004052456.tif 000005
【図４】
2004052456.tif 000006